(57)【特許請求の範囲】
【請求項１】
建物内に設置されている複数の温度センサによって検出される温度が所定範囲内に含まれると想定される時間に、前記建物内に設置されている複数の室内機を介して前記建物内を空調する空調機に送風運転させる制御手段と、
前記空調機が送風運転を開始してから所定時間経過した後に前記複数の温度センサによって検出された温度のばらつきに基づいて、温度センサの劣化を判定する劣化判定手段と、
を有し、
前記劣化判定手段は、前記複数の温度センサによって検出された温度の平均値を求め、前記平均値から所定温度以上外れた温度を検出した温度センサであって前記平均値との差の絶対値が最大となる温度を検出した温度センサが劣化していると判定し、前記劣化していると判定された温度センサを除いた前記複数の温度センサによって検出された温度の平均値を新たに求め、前記新たに求められた平均値から前記所定温度以上外れた温度を検出した温度センサであって前記新たに求められた平均値との差の絶対値が最大となる温度を検出した温度センサが劣化していると判定する、
ことを特徴とする空調制御装置。
【請求項２】
建物内に設置されている複数の温度センサによって検出される温度が所定範囲内に含まれると想定される時間に、前記建物内に設置されている複数の室内機を介して前記建物内を空調する空調機に送風運転させる制御手段と、
前記空調機が送風運転を開始してから所定時間経過した後に前記複数の温度センサによって検出された温度のばらつきに基づいて、温度センサの劣化を判定する劣化判定手段と、
を有し、
前記劣化判定手段は、前記複数の温度センサによって検出された温度の平均値を求め、前記平均値から所定温度以上外れた温度を検出した温度センサが劣化していると判定し、
前記制御手段は、前記劣化していると判定された温度センサによって検出された温度と前記平均値との差分を用いて補正された補正温度に基づいて、前記劣化していると判定された温度センサに対応する室内機を介した空調を制御する、
ことを特徴とする空調制御装置。
【請求項３】
請求項１に記載の空調制御装置であって、
前記制御手段は、前記劣化していると判定された温度センサによって検出された温度と前記平均値との差分を用いて補正された補正温度に基づいて、前記劣化していると判定された温度センサに対応する室内機を介した空調を制御する、
ことを特徴とする空調制御装置。
【請求項４】
請求項２又は請求項３に記載の空調制御装置であって、
前記制御手段は、前記平均値が基準温度以上となる場合に求められた前記差分を第１の補正値とし、前記平均値が前記基準温度未満となる場合に求められた前記差分を第２の補正値とし、前記劣化していると判定された温度センサによって検出される温度が前記基準温度以上となる場合、前記第１の補正値を用いて補正された第１の補正温度に基づいて、前記劣化していると判定された温度センサに対応する室内機を介した空調を制御し、前記劣化していると判定された温度センサによって検出される温度が前記基準温度未満となる場合、前記第２の補正値を用いて補正された第２の補正温度に基づいて、前記劣化していると判定された温度センサに対応する室内機を介した空調を制御する、
ことを特徴とする空調制御装置。
【請求項５】
請求項１から請求項４のいずれか一項に記載の空調制御装置であって、
前記複数の室内機及び前記複数の温度センサは、前記建物内において同一の居室に設置されている、
ことを特徴とする空調制御装置。
【請求項６】
請求項５に記載の空調制御装置であって、
前記複数の温度センサのうち前記居室の壁から所定距離内に設置されている複数の温度センサを第１グループとし、前記壁から前記所定距離より離れた位置に設置されている複数の温度センサを第２グループとし、
前記劣化判定手段は、前記第１グループ及び前記第２グループのそれぞれについて温度センサの劣化を判定する、
ことを特徴とする空調制御装置。
【請求項７】
建物内に設置されている複数の温度センサによって検出される温度が所定範囲内に含まれると想定される時間に、前記建物内に設置されている複数の室内機を介して前記建物内を空調する空調機に送風運転させる制御手段と、
前記空調機が送風運転を開始してから所定時間経過した後に前記複数の温度センサによって検出された温度のばらつきに基づいて、温度センサの劣化を判定する劣化判定手段と、
を有し、
前記複数の室内機及び前記複数の温度センサは、前記建物内において同一の居室に設置されており、
前記複数の温度センサのうち前記居室の壁から所定距離内に設置されている複数の温度センサを第１グループとし、前記壁から前記所定距離より離れた位置に設置されている複数の温度センサを第２グループとし、
前記劣化判定手段は、前記第１グループ及び前記第２グループのそれぞれについて温度センサの劣化を判定する、
ことを特徴とする空調制御装置。
【請求項８】
請求項５に記載の空調制御装置であって、
前記居室内における設置場所の高さに応じて前記複数の温度センサをグループ分けし、
前記劣化判定手段は、前記グループごとに温度センサの劣化を判定する、
ことを特徴とする空調制御装置。
【請求項９】
建物内に設置されている複数の温度センサによって検出される温度が所定範囲内に含まれると想定される時間に、前記建物内に設置されている複数の室内機を介して前記建物内を空調する空調機に送風運転させる制御手段と、
前記空調機が送風運転を開始してから所定時間経過した後に前記複数の温度センサによって検出された温度のばらつきに基づいて、温度センサの劣化を判定する劣化判定手段と、
を有し、
前記複数の室内機及び前記複数の温度センサは、前記建物内において同一の居室に設置されており、
前記居室内における設置場所の高さに応じて前記複数の温度センサをグループ分けし、
前記劣化判定手段は、前記グループごとに温度センサの劣化を判定する、
ことを特徴とする空調制御装置。
【請求項１０】
請求項１から請求項４のいずれか一項に記載の空調制御装置であって、
前記複数の室内機及び前記複数の温度センサは、前記建物内において異なる居室に設置されている、
ことを特徴とする空調制御装置。
【請求項１１】
請求項１から請求項１０のいずれか一項に記載の空調制御装置であって、
前記劣化判定手段は、前記空調機が送風運転する前に、前記複数の温度センサによって検出された温度に基づいて温度センサの劣化を判定し、前記空調機が送風運転を開始してから前記所定時間経過した後に前記複数の温度センサによって検出された温度に基づいて温度センサの劣化を判定し、前記送風運転の前及び前記送風運転の後の両方のタイミングで劣化と判定された温度センサを、劣化した温度センサとして特定する、
ことを特徴とする空調制御装置。
【請求項１２】
建物内に設置されている複数の温度センサによって検出される温度が所定範囲内に含まれると想定される時間に、前記建物内に設置されている複数の室内機を介して前記建物内を空調する空調機に送風運転させる制御手段と、
前記空調機が送風運転を開始してから所定時間経過した後に前記複数の温度センサによって検出された温度のばらつきに基づいて、温度センサの劣化を判定する劣化判定手段と、
を有し、
前記劣化判定手段は、前記空調機が送風運転する前に、前記複数の温度センサによって検出された温度に基づいて温度センサの劣化を判定し、前記空調機が送風運転を開始してから前記所定時間経過した後に前記複数の温度センサによって検出された温度に基づいて温度センサの劣化を判定し、前記送風運転の前及び前記送風運転の後の両方のタイミングで劣化と判定された温度センサを、劣化した温度センサとして特定する、
ことを特徴とする空調制御装置。
【請求項１３】
請求項１から請求項１２のいずれか一項に記載の空調制御装置であって、
前記劣化判定手段は、複数日で温度センサの劣化を判定し、前記複数日において劣化と判定された温度センサを、劣化した温度センサとして特定する、
ことを特徴とする空調制御装置。
【請求項１４】
請求項１から請求項１３のいずれか一項に記載の空調制御装置であって、
前記建物内の在室人数を示す情報又は前記建物の警備状態を示す情報を取得する入退室管理手段を更に備え、
前記制御手段は、前記入退室管理手段によって取得された情報に基づいて、前記建物内の在室人数又は前記建物のロックの有無を検知し、前記建物内の在室人数が０人となっている場合、又は、前記建物がロックされている場合に、前記空調機に送風運転させる、
ことを特徴とする空調制御装置。
【請求項１５】
請求項１から請求項１３のいずれか一項に記載の空調制御装置であって、
前記制御手段は、前記空調機による空調が停止してから所定の停止時間が経過した後、前記空調機に送風運転させる、
ことを特徴とする空調制御装置。
【請求項１６】
請求項１から請求項１５のいずれか一項に記載の空調制御装置であって、
前記制御手段は、夏期及び冬期を除く中間期、かつ、前記複数の温度センサによって検出される温度が前記所定範囲内に含まれると想定される時間に、前記空調機に送風運転させる、
ことを特徴とする空調制御装置。
【請求項１７】
建物内に設置されている複数の温度センサによって検出される温度が所定範囲内に含まれると想定される時間に、前記建物内に設置されている複数の室内機を介して前記建物内を空調する空調機に送風運転させる第１のステップと、
前記空調機が送風運転を開始してから所定時間経過した後に前記複数の温度センサによって検出された温度のばらつきに基づいて、温度センサの劣化を判定する第２のステップと、
を含み、
前記第２のステップでは、前記複数の温度センサによって検出された温度の平均値を求め、前記平均値から所定温度以上外れた温度を検出した温度センサであって前記平均値との差の絶対値が最大となる温度を検出した温度センサが劣化していると判定し、前記劣化していると判定された温度センサを除いた前記複数の温度センサによって検出された温度の平均値を新たに求め、前記新たに求められた平均値から前記所定温度以上外れた温度を検出した温度センサであって前記新たに求められた平均値との差の絶対値が最大となる温度を検出した温度センサが劣化していると判定する、
ことを特徴とする温度センサの劣化判定方法。
【請求項１８】
コンピュータに、
建物内に設置されている複数の温度センサによって検出される温度が所定範囲内に含まれると想定される時間に、前記建物内に設置されている複数の室内機を介して前記建物内を空調する空調機に送風運転させる第１のステップと、
前記空調機が送風運転を開始してから所定時間経過した後に前記複数の温度センサによって検出された温度のばらつきに基づいて、温度センサの劣化を判定する第２のステップと、
を実行させ、
前記第２のステップでは、前記複数の温度センサによって検出された温度の平均値を求め、前記平均値から所定温度以上外れた温度を検出した温度センサであって前記平均値との差の絶対値が最大となる温度を検出した温度センサが劣化していると判定し、前記劣化していると判定された温度センサを除いた前記複数の温度センサによって検出された温度の平均値を新たに求め、前記新たに求められた平均値から前記所定温度以上外れた温度を検出した温度センサであって前記新たに求められた平均値との差の絶対値が最大となる温度を検出した温度センサが劣化していると判定する、
ことを特徴とするプログラム。
【発明の詳細な説明】
【技術分野】
【０００１】
本発明は、建物内の空調制御に用いられる温度センサの劣化を判定する空調制御装置、温度センサの劣化判定方法及びプログラムに関する。
【背景技術】
【０００２】
空調機は、ビル等の建物内に設置された温度センサによって検出された温度に基づいて建物内の空調を行っている。この温度センサは経年によって劣化し、実際の温度とは異なる値を検出する場合がある。実際の温度とは異なる値を制御値として空調制御を行うと、建物内を適切に空調することができず、その結果、快適性が損なわれ消費電力量の増加を招くおそれがある。従って、劣化した温度センサを特定して温度を校正することが求められている。
【０００３】
例えば下記の特許文献１には、可変抵抗器を用いた温度センサに対し、抵抗値が固定の固定抵抗器を追加し、可変抵抗器と固定抵抗器との差分に基づいて温度を算出することで、経年劣化による抵抗値の変化を打ち消す装置が開示されている。
【０００４】
また、下記の特許文献２には、空調機の経年劣化と消費電力量の増加との間に相関関係があることを利用し、空調機を設置した直後の消費電力量と、運転開始後の消費電力量とを用いて空調機の劣化度を判定する装置が開示されている。
【０００５】
また、下記の特許文献３には、オフセットデータを予め記憶しておき、温度センサが検出したデータとオフセットデータとから誤差を調整する装置が開示されている。
【０００６】
また、下記の特許文献４には、外気の温度に応じて温度センサの補正値を変更する装置が開示されている。
【０００７】
また、下記の特許文献５には、空調ゾーンに応じて温度センサの補正値を変更する装置が開示されている。
【先行技術文献】
【特許文献】
【０００８】
【特許文献１】特開２００７−２１６８６７号公報
【特許文献２】特許第４７７５３３８号
【特許文献３】特開平３−１７７７３４号公報
【特許文献４】特開２００６−２５８３４０号公報
【特許文献５】特開２００２−１４４８４０号公報
【発明の概要】
【発明が解決しようとする課題】
【０００９】
しかしながら、特許文献１に記載の発明では、抵抗器や比較回路等を空調機に追加する必要があるため、空調機のコストが増大してしまう。また、特許文献２に記載の発明では、消費電力量に基づいて空調機の劣化度を判定するに過ぎず、劣化した温度センサを特定することができるわけではない。また、上述した特許文献３，４，５に記載された発明も、劣化した温度センサを特定するものではない。
【００１０】
本発明の目的は、別の機器を空調機に追加したり空調機を改造したりせずに、温度センサの劣化を判定することが可能な空調制御装置、温度センサの劣化判定方法及びプログラムを提供することである。
【課題を解決するための手段】
【００１１】
請求項１に係る発明は、建物内に設置されている複数の温度センサによって検出される温度が所定範囲内に含まれると想定される時間に、前記建物内に設置されている複数の室内機を介して前記建物内を空調する空調機に送風運転させる制御手段と、前記空調機が送風運転を開始してから所定時間経過した後に前記複数の温度センサによって検出された温度のばらつきに基づいて、温度センサの劣化を判定する劣化判定手段と、を有し、前記劣化判定手段は、前記複数の温度センサによって検出された温度の平均値を求め、前記平均値から所定温度以上外れた温度を検出した温度センサであって前記平均値との差の絶対値が最大となる温度を検出した温度センサが劣化していると判定し、前記劣化していると判定された温度センサを除いた前記複数の温度センサによって検出された温度の平均値を新たに求め、前記新たに求められた平均値から前記所定温度以上外れた温度を検出した温度センサであって前記新たに求められた平均値との差の絶対値が最大となる温度を検出した温度センサが劣化していると判定する、ことを特徴とする空調制御装置である。
【００１２】
また、請求項２に係る発明は、建物内に設置されている複数の温度センサによって検出される温度が所定範囲内に含まれると想定される時間に、前記建物内に設置されている複数の室内機を介して前記建物内を空調する空調機に送風運転させる制御手段と、前記空調機が送風運転を開始してから所定時間経過した後に前記複数の温度センサによって検出された温度のばらつきに基づいて、温度センサの劣化を判定する劣化判定手段と、を有し、前記劣化判定手段は、前記複数の温度センサによって検出された温度の平均値を求め、前記平均値から所定温度以上外れた温度を検出した温度センサが劣化していると判定し、前記制御手段は、前記劣化していると判定された温度センサによって検出された温度と前記平均値との差分を用いて補正された補正温度に基づいて、前記劣化していると判定された温度センサに対応する室内機を介した空調を制御する、ことを特徴とする空調制御装置である。
【００１４】
また、請求項３に係る発明は、請求項１に記載の空調制御装置であって、前記制御手段は、前記劣化していると判定された温度センサによって検出された温度と前記平均値との差分を用いて補正された補正温度に基づいて、前記劣化していると判定された温度センサに対応する室内機を介した空調を制御する、ことを特徴とする。
【００１５】
また、請求項４に係る発明は、請求項２又は請求項３に記載の空調制御装置であって、前記制御手段は、前記平均値が基準温度以上となる場合に求められた前記差分を第１の補正値とし、前記平均値が前記基準温度未満となる場合に求められた前記差分を第２の補正値とし、前記劣化していると判定された温度センサによって検出される温度が前記基準温度以上となる場合、前記第１の補正値を用いて補正された第１の補正温度に基づいて、前記劣化していると判定された温度センサに対応する室内機を介した空調を制御し、前記劣化していると判定された温度センサによって検出される温度が前記基準温度未満となる場合、前記第２の補正値を用いて補正された第２の補正温度に基づいて、前記劣化していると判定された温度センサに対応する室内機を介した空調を制御する、ことを特徴とする。
【００１６】
また、請求項５に係る発明は、請求項１から請求項４のいずれか一項に記載の空調制御装置であって、前記複数の室内機及び前記複数の温度センサは、前記建物内において同一の居室に設置されている、ことを特徴とする。
【００１７】
また、請求項６に係る発明は、請求項５に記載の空調制御装置であって、前記複数の温度センサのうち前記居室の壁から所定距離内に設置されている複数の温度センサを第１グループとし、前記壁から前記所定距離より離れた位置に設置されている複数の温度センサを第２グループとし、前記劣化判定手段は、前記第１グループ及び前記第２グループのそれぞれについて温度センサの劣化を判定する、ことを特徴とする空調制御装置である。
また、請求項７に係る発明は、建物内に設置されている複数の温度センサによって検出される温度が所定範囲内に含まれると想定される時間に、前記建物内に設置されている複数の室内機を介して前記建物内を空調する空調機に送風運転させる制御手段と、前記空調機が送風運転を開始してから所定時間経過した後に前記複数の温度センサによって検出された温度のばらつきに基づいて、温度センサの劣化を判定する劣化判定手段と、を有し、前記複数の室内機及び前記複数の温度センサは、前記建物内において同一の居室に設置されており、前記複数の温度センサのうち前記居室の壁から所定距離内に設置されている複数の温度センサを第１グループとし、前記壁から前記所定距離より離れた位置に設置されている複数の温度センサを第２グループとし、前記劣化判定手段は、前記第１グループ及び前記第２グループのそれぞれについて温度センサの劣化を判定する、ことを特徴とする空調制御装置である。
【００１８】
また、請求項８に係る発明は、請求項５に記載の空調制御装置であって、前記居室内における設置場所の高さに応じて前記複数の温度センサをグループ分けし、前記劣化判定手段は、前記グループごとに温度センサの劣化を判定する、ことを特徴とする。
また、請求項９に係る発明は、建物内に設置されている複数の温度センサによって検出される温度が所定範囲内に含まれると想定される時間に、前記建物内に設置されている複数の室内機を介して前記建物内を空調する空調機に送風運転させる制御手段と、前記空調機が送風運転を開始してから所定時間経過した後に前記複数の温度センサによって検出された温度のばらつきに基づいて、温度センサの劣化を判定する劣化判定手段と、を有し、前記複数の室内機及び前記複数の温度センサは、前記建物内において同一の居室に設置されており、前記居室内における設置場所の高さに応じて前記複数の温度センサをグループ分けし、前記劣化判定手段は、前記グループごとに温度センサの劣化を判定する、ことを特徴とする空調制御装置である。
【００１９】
また、請求項１０に係る発明は、請求項１から請求項４のいずれか一項に記載の空調制御装置であって、前記複数の室内機及び前記複数の温度センサは、前記建物内において異なる居室に設置されている、ことを特徴とする。
【００２０】
また、請求項１１に係る発明は、請求項１から請求項１０のいずれか一項に記載の空調制御装置であって、前記劣化判定手段は、前記空調機が送風運転する前に、前記複数の温度センサによって検出された温度に基づいて温度センサの劣化を判定し、前記空調機が送風運転を開始してから前記所定時間経過した後に前記複数の温度センサによって検出された温度に基づいて温度センサの劣化を判定し、前記送風運転の前及び前記送風運転の後の両方のタイミングで劣化と判定された温度センサを、劣化した温度センサとして特定する、ことを特徴とする。
また、請求項１２に係る発明は、建物内に設置されている複数の温度センサによって検出される温度が所定範囲内に含まれると想定される時間に、前記建物内に設置されている複数の室内機を介して前記建物内を空調する空調機に送風運転させる制御手段と、前記空調機が送風運転を開始してから所定時間経過した後に前記複数の温度センサによって検出された温度のばらつきに基づいて、温度センサの劣化を判定する劣化判定手段と、を有し、前記劣化判定手段は、前記空調機が送風運転する前に、前記複数の温度センサによって検出された温度に基づいて温度センサの劣化を判定し、前記空調機が送風運転を開始してから前記所定時間経過した後に前記複数の温度センサによって検出された温度に基づいて温度センサの劣化を判定し、前記送風運転の前及び前記送風運転の後の両方のタイミングで劣化と判定された温度センサを、劣化した温度センサとして特定する、ことを特徴とする空調制御装置である。
【００２１】
また、請求項１３に係る発明は、請求項１から請求項１２のいずれか一項に記載の空調制御装置であって、前記劣化判定手段は、複数日で温度センサの劣化を判定し、前記複数日において劣化と判定された温度センサを、劣化した温度センサとして特定する、ことを特徴とする。
【００２２】
また、請求項１４に係る発明は、請求項１から請求項１３のいずれか一項に記載の空調制御装置であって、前記建物内の在室人数を示す情報又は前記建物の警備状態を示す情報を取得する入退室管理手段を更に備え、前記制御手段は、前記入退室管理手段によって取得された情報に基づいて、前記建物内の在室人数又は前記建物のロックの有無を検知し、前記建物内の在室人数が０人となっている場合、又は、前記建物がロックされている場合に、前記空調機に送風運転させる、ことを特徴とする。
【００２３】
また、請求項１５に係る発明は、請求項１から請求項１３のいずれか一項に記載の空調制御装置であって、前記制御手段は、前記空調機による空調が停止してから所定の停止時間が経過した後、前記空調機に送風運転させる、ことを特徴とする。
【００２４】
また、請求項１６に係る発明は、請求項１から請求項１５のいずれか一項に記載の空調制御装置であって、前記制御手段は、夏期及び冬期を除く中間期、かつ、前記複数の温度センサによって検出される温度が前記所定範囲内に含まれると想定される時間に、前記空調機に送風運転させる、ことを特徴とする。
【００２５】
また、請求項１７に係る発明は、建物内に設置されている複数の温度センサによって検出される温度が所定範囲内に含まれると想定される時間に、前記建物内に設置されている複数の室内機を介して前記建物内を空調する空調機に送風運転させる第１のステップと、前記空調機が送風運転を開始してから所定時間経過した後に前記複数の温度センサによって検出された温度のばらつきに基づいて、温度センサの劣化を判定する第２のステップと、を含み、前記第２のステップでは、前記複数の温度センサによって検出された温度の平均値を求め、前記平均値から所定温度以上外れた温度を検出した温度センサであって前記平均値との差の絶対値が最大となる温度を検出した温度センサが劣化していると判定し、前記劣化していると判定された温度センサを除いた前記複数の温度センサによって検出された温度の平均値を新たに求め、前記新たに求められた平均値から前記所定温度以上外れた温度を検出した温度センサであって前記新たに求められた平均値との差の絶対値が最大となる温度を検出した温度センサが劣化していると判定する、ことを特徴とする温度センサの劣化判定方法である。
【００２６】
また、請求項１８に係る発明は、コンピュータに、建物内に設置されている複数の温度センサによって検出される温度が所定範囲内に含まれると想定される時間に、前記建物内に設置されている複数の室内機を介して前記建物内を空調する空調機に送風運転させる第１のステップと、前記空調機が送風運転を開始してから所定時間経過した後に前記複数の温度センサによって検出された温度のばらつきに基づいて、温度センサの劣化を判定する第２のステップと、を実行させ、前記第２のステップでは、前記複数の温度センサによって検出された温度の平均値を求め、前記平均値から所定温度以上外れた温度を検出した温度センサであって前記平均値との差の絶対値が最大となる温度を検出した温度センサが劣化していると判定し、前記劣化していると判定された温度センサを除いた前記複数の温度センサによって検出された温度の平均値を新たに求め、前記新たに求められた平均値から前記所定温度以上外れた温度を検出した温度センサであって前記新たに求められた平均値との差の絶対値が最大となる温度を検出した温度センサが劣化していると判定する、ことを特徴とするプログラムである。
【発明の効果】
【００２７】
本発明によると、別の機器を空調機に追加したり空調機を改造したりせずに、温度センサの劣化を判定することができる。
【図面の簡単な説明】
【００２８】
【図１】本発明の実施形態に係る空調システムの一例を示すブロック図である。
【図２】室内機の配置の一例を示す図である。
【図３】各温度センサによって検出された温度のばらつきを示すグラフである。
【図４】本発明の実施形態に係る空調制御装置による動作の一例を示すフローチャートである。
【図５】温度センサによって検出された温度を示す表である。
【図６】温度センサの劣化を判定する方法を説明するための図である。
【発明を実施するための形態】
【００２９】
図１に、本発明の実施形態に係る空調制御システムの一例を示す。本実施形態に係る空調制御システムは、複数の室内機３Ａ〜３Ｄ及び室外機４を備えた空調機２と、居室４０内に設置された複数の温度センサ１Ａ〜１Ｄと、居室４０の外に設置された温度センサ５と、空調制御部６と、空調管理部１０と、ログ情報記憶部２０とを含んで構成されている。また、本実施形態に係る空調制御システムは、入退室管理部３０を含んでいてもよい。
【００３０】
居室４０は利用者が利用する建物の空調空間としての部屋であり、例えば、オフィスビル等の執務室や会議室等である。居室４０は、利用者の出入口となる扉４１が設けられている。なお、居室４０は、１つに限らず複数の部屋があってもよい。
【００３１】
空調機２は例えばビル用マルチ方式の空調機器であり、空調制御部６の制御の下、送風運転、冷房運転、暖房運転又は除湿運転等を行うことで、居室４０内の空間を空調する。空調機２は、一例として、複数の室内機３Ａ〜３Ｄと室外機４とを備えている。複数の室内機３Ａ〜３Ｄは居室４０内に設置されており、送風運転時には設定された風速で空気（風）を居室４０内に送り出し、冷房運転時には冷却された空気を居室４０内に送り出し、暖房運転時には加熱された空気を居室４０内に送り出す。室外機４は居室４０の外に設置されており、図示しない配管を介して室内機３Ａ〜３Ｄに接続されている。室外機４は、図示しない配管を介して室内機３Ａ〜３Ｄに熱エネルギーを伝達する冷媒を供給する。なお、複数台の室外機４が設置されていてもよい。
【００３２】
複数の温度センサ１Ａ〜１Ｄは居室４０内に設置され、居室４０内の温度（室内温度）を検出して検出値を空調制御部６に出力する。例えば、室内機３Ａ〜３Ｄのそれぞれに対応して温度センサ１Ａ〜１Ｄが設置されている。具体的には、室内機３Ａに対応して温度センサ１Ａが設置され、室内機３Ｂに対応して温度センサ１Ｂが設置され、室内機３Ｃに対応して温度センサ１Ｃが設置され、室内機３Ｄに対応して温度センサ１Ｄが設置されている。例えば、各温度センサ１Ａ〜１Ｄは対応する室内機３Ａ〜３Ｄに取り付けられていてもよいし、対応する室内機３Ａ〜３Ｄの近傍に設置されていてもよい。また、室外機４に温度センサ５が設置されている。温度センサ５は、居室４０の外部の温度（室外温度）を検出して検出値を空調制御部６に出力する。例えば、温度センサ１Ａ〜１Ｄ及び温度センサ５は、予め設定された時間間隔で温度を検出して検出値を空調制御部６に出力する。例えば、温度センサ１Ａ〜１Ｄ及び温度センサ５によって検出された各検出値に、温度センサ１Ａ〜１Ｄ及び温度センサ５のそれぞれを識別するための機器識別情報（例えば機器ＩＤ）が付帯され、機器識別情報が付帯された検出値が空調制御部６に出力される。なお、機器識別情報として、温度センサ１Ａ〜１Ｄに対応する室内機３Ａ〜３Ｄを識別するための識別情報を用いてもよい。図１には一例として４つの温度センサ１Ａ〜１Ｄが居室４０内に設置されているが、温度センサの数は４つに限らず、少なくとも３つ以上の温度センサが居室４０内に設置されていればよい。
【００３３】
空調制御部６は、空調機２（室内機３Ａ〜３Ｄ及び室外機４）の運転開始及び運転停止を制御する。また、空調制御部６は、空調機２による送風運転、冷房運転、暖房運転又は除湿運転等の動作モードを制御することで、室内機３Ａ〜３Ｄから放出される空気の風向き、風速、温度及び湿度等を制御する。また、空調制御部６は、温度センサ１Ａ〜１Ｄから出力された検出値（室内温度を示す値）と温度センサ５から出力された検出値（室外温度を示す値）とを含む運転ログ情報を取得する。例えば、空調制御部６は、室内機３Ａ〜３Ｄのそれぞれを個別に制御することで、居室４０内における複数の領域のそれぞれの空調を個別に制御してもよい。一例として、空調制御部６は、温度センサ１Ａ〜１Ｄによって検出された室内温度に基づいて、温度センサ１Ａ〜１Ｄのそれぞれに対応する室内機３Ａ〜３Ｄを介した空調を制御する。例えば、空調制御部６は、温度センサ１Ａによって検出された室内温度に基づいて、温度センサ１Ａに対応する室内機３Ａを介した空調を制御する。その他の室内機３Ｂ〜３Ｄについても、対応する温度センサ１Ｂ〜１Ｄによって検出された室内温度に基づいて空調を制御する。
【００３４】
なお、図１に示す例では、同一の居室４０内において、室内機３Ａ〜３Ｄのそれぞれに対応して温度センサ１Ａ〜１Ｄが設置されている場合について説明したが、同一の建物内において異なる居室に室内機及び温度センサが設置されていてもよい。例えば図２に示すように、同一の建物内において複数の階（例えば１階から４階）のそれぞれの居室４０Ａ〜４０Ｄに、室内機及び温度センサが設置されていてもよい。例えば、各居室内に、１つ又は複数の室内機と１つ又は複数の温度センサとが設置されていてもよい。図２に示す例では、居室４０Ａ〜４０Ｄのそれぞれに、複数の室内機３と１つの温度センサ１Ａ（１Ｂ〜１Ｄ）とが設置されており、居室４０Ａ〜４０Ｄのそれぞれに設置された複数の室内機３は、室外機４に接続されている。この場合、空調制御部６は、居室４０Ａ〜４０Ｄのそれぞれに設置されている温度センサ１Ａ〜１Ｄの検出値に基づいて、居室４０Ａ〜４０Ｄのそれぞれに設置されている空調機（複数の室内機３及び室外機４）の運転を制御することで、各居室の空調を制御する。例えば、空調制御部６は、居室４０Ａ内に設置されている温度センサ１Ａの検出値に基づいて、居室４０Ａに設置されている空調機（複数の室内機３及び室外機４）の運転を制御することで、居室４０Ａ内の空調を制御する。その他の居室４０Ｂ〜４０Ｄについても、各居室内に設置された温度センサ１Ｂ〜１Ｄの検出値に基づいて空調を制御する。なお、図２に示す例では、各居室内に１つの温度センサが設置されているが、各居室内に複数の温度センサが設置されていてもよい。また、同一建物内の同じ階の複数の居室のそれぞれに、１つ又は複数の室内機と１つ又は複数の温度センサとが設置されていてもよい。すなわち、本実施形態においては、同一の建物内に複数の温度センサが設置されていればよい。
【００３５】
空調管理部１０は、判定制御部１１と判定処理部１２とを備え、温度センサ１Ａ〜１Ｄのうち劣化した温度センサを特定する。また、空調管理部１０にはログ情報記憶部２０が接続されている。空調管理部１０は、空調機２が設置されている建物と同一の建物内に設置されていてもよいし、別の建物内に設置されてネットワーク等の通信経路を介して空調制御部６に接続されていてもよい。空調管理部１０は空調制御部６に制御信号を送ることで、上述した空調制御部６の機能を利用することが可能となる。本実施形態に係る空調制御装置は、空調管理部１０とログ情報記憶部２０とを含んで構成されており、空調制御部６を含んでいてもよいし、入退室管理部３０を含んでいてもよい。
【００３６】
判定制御部１１は、温度センサ１Ａ〜１Ｄの劣化判定を行うために、特定の時間に空調機２に送風運転させ、空調機２が空調運転を開始してから所定時間が経過した後に温度センサ１Ａ〜１Ｄによって検出された室内温度を示す検出値を、運転ログ情報としてログ情報記憶部２０に保存する。
【００３７】
判定処理部１２は、ログ情報記憶部２０に保存されている運転ログ情報（室内温度）に基づいて温度センサ１Ａ〜１Ｄの劣化を判定する。例えば、判定処理部１２は、温度センサ１Ａ〜１Ｄによって検出された室内温度のばらつきに基づいて温度センサの劣化を判定する。ばらつきによる判定の一例として、判定処理部１２は、温度センサ１Ａ〜１Ｄによって検出された室内温度の平均値を求め、その平均値から所定温度以上外れた温度を検出した温度センサを、劣化した温度センサとして特定する。
【００３８】
ここで、劣化判定を実行する時間について説明する。本実施形態では、居室４０内の温度が一様となる環境下で検出された室内温度を用いることで、劣化した温度センサを特定する。例えば、温度センサ１Ａ〜１Ｄによって検出される室内温度が所定範囲内に含まれると予測（想定）される時間に送風運転を行い、送風運転開始から所定時間経過後に検出された室内温度を用いることで、温度センサの劣化を判定する。
【００３９】
例えば、あるオフィスの秋期における室内温度は、１週間のどの曜日においても、明け方（例えば５：３０〜７：３０の間）でほぼ一様となる。例えば、居室内においてある距離（例えば５ｍ）ごとに温度センサを設置して各場所の室内温度を検出した結果、検出された室内温度の最大値と最小値との差である最大温度差は、日中や夜間（例えば１０：００頃〜２２：００頃）よりも明け方の方が相対的に小さくなり、明け方において所定温度以下（例えば１℃以下）になる。また、最大温度差は、日中や夜間では時間や曜日よって大きく変動するが（例えば１℃程度〜３．５℃程度）、明け方では時間や曜日によっても日中や夜間に比べて変動が小さく、ほぼ一定（例えば１℃以下）となる。このように、明け方の室内温度はほぼ一様になっている。明け方（例えば５：３０〜７：３０）は、オフィス内が無人となっており、オフィスの空調を止めて人が退室した時間から、室内温度が一様となるために十分な時間が経過していると考えられる。そのため、明け方の室内温度がほぼ一様になっていると考えられる。従って、この明け方のタイミングで送風運転を行うことで、室内温度はさらに一様となり、各温度センサが劣化しておらず正常であれば、各温度センサが検出する室内温度は所定範囲（例えば±１℃）内に収まると考えられる。仮に、温度センサが劣化しているのであれば、その温度センサは、この所定範囲から外れた値を検出すると考えられる。従って、複数の温度センサによって検出される室内温度が所定範囲内に含まれると想定される時間に送風運転を行い、送風運転開始から所定時間経過後に検出される室内温度を用いることで、劣化した温度センサをより正確に特定することが可能となる。
【００４０】
図３に、明け方（例えば７：００頃）に複数の温度センサによって検出された室内温度の変化の一例を示す。図３に示すグラフは、一例として５つの温度センサによって検出された室内温度の分布を示す。グラフ１００（黒丸）で示す室内温度、グラフ１１０（白丸）で示す室内温度、グラフ１２０（黒四角）で示す室内温度、グラフ１３０（白四角）で示す室内温度、及び、グラフ１４０（黒三角）で示す室内温度は、それぞれ異なる温度センサによって検出された温度である。図３に示す例では、７：１０に送風運転を開始している。送風運転開始時（７：１０）では、各室内温度は±１．５℃程度の範囲内に収まっており、送付運転を開始してから１０分程度が経過した後（７：２０頃）では、各室内温度はΔＴｓ（±１．０℃程度）の範囲内に収まる。このように送風運転を行うことで、室内温度を更に一様にすることができるため、送風運転を開始してから所定時間が経過した後に検出された室内温度に基づいて温度センサの劣化を判定することで、より精度良く劣化を判定することができる。
【００４１】
なお、本実施形態に係る空調制御装置（温度センサの劣化判定方法）は、一年を通じて適用して温度センサの劣化を判定することができるが、春期（４月頃から６月頃）又は秋期（９月頃から１１月頃）においては、夏期及び冬期よりも室内温度が外気の影響を受け難いため、夏期及び冬期を除く中間期（春期又は秋期）に、温度センサの劣化を判定することが好ましい。春期及び秋期では、夏期よりも日射量が相対的に少なく、また、冬期のように放射冷却の影響が少ないため、外気の影響が比較的少ない中間期に温度センサの劣化を判定することが好ましい。
【００４２】
入退室管理部３０及び読取部３１，３２については後述する。なお、本実施形態に係る空調システムは、入退室管理部３０及び読取部３１，３２を備えていなくてもよい。
【００４３】
次に、図４に示すフローチャートを参照して、本実施形態に係る空調制御装置による動作の一例を説明する。
【００４４】
まず、判定制御部１１は、温度センサ１Ａ〜１Ｄによって検出される室内温度が所定範囲内に含まれると予測される時間（例えば予め設定された時間）に空調機２に送風運転させることで、予め設定された風向き及び風量で、すべての室内機３Ａ〜３Ｄから風（空気）を居室４０内に送り出し、温度センサ１Ａ〜１Ｄによる検出値（室内温度）を所定時間ごとに（例えば５分ごとに）ログ情報記憶部２０に保存する（Ｓ０１）。例えば、春期又は秋期において、空調機２による空調が停止してから所定の停止時間（例えば８時間程度）が経過した後の明け方に、空調機２に所定時間（例えば３０分程度）にわたって送風運転させることで、すべての室内機３Ａ〜３Ｄから風（空気）を居室４０内に送り出す。一例として、５：３０〜６：００まで送風運転し、その間に温度センサ１Ａ〜１Ｄによって検出された室内温度を示す検出値を、ログ情報記憶部２０に保存する。
【００４５】
次に、判定処理部１２は、空調機２による送風運転が開始してから所定時間が経過した後の期間（例えば１０分経過後〜３０分経過後）に温度センサ１Ａ〜１Ｄによって検出された室内温度の平均値Ｔａｃを、温度センサ１Ａ〜１Ｄごとに求める（Ｓ０２）。
【００４６】
ここで、図５に示す表を参照して、判定処理部１２の処理を具体的に説明する。図５に示す表は、温度センサ１Ａ〜１Ｄが、時刻５：４０〜５：５５の間にそれぞれ検出した室内温度を示している。一例として、時刻５：３０に送風運転が開始した場合、判定処理部１２は、送風運転開始時点から１０分経過後の時刻５：４０〜５：５５の間に検出された室内温度の平均値Ｔａｃを、温度センサ１Ａ〜１Ｄごとに求める。例えば、温度センサ１Ａによって時刻５：４０〜５：５５の間に検出された室内温度の平均値Ｔａｃは、２４．３℃である。同様に、温度センサ１Ｂによって検出された室内温度の平均値Ｔａｃは２６．７℃であり、温度センサ１Ｃによって検出された室内温度の平均値Ｔａｃは２４．９℃であり、温度センサ１Ｄによって検出された室内温度の平均値Ｔａｃは２５．７℃である。
【００４７】
そして、複数の温度センサをグループ分けする（Ｓ０３）。例えば図１に示すように、同一の居室４０内に設置されている複数の温度センサ１Ａ〜１Ｄを同一のグループに割り当ててもよいし、図２に示すように、異なる階の居室４０Ａ〜４０Ｄにそれぞれ設置されているが、同一の建物内に設置されている複数の温度センサ１Ａ〜１Ｄを同一のグループに割り当ててもよい。
【００４８】
次に、判定処理部１２は、同一グループに属する温度センサの平均値Ｔａｃの平均値Ｔａｖｇを求める（Ｓ０４）。例えば図５の表に示すように、判定処理部１２は、温度センサ１Ａの平均値Ｔａｃ（２４．３℃）、温度センサ１Ｂの平均値Ｔａｃ（２６．７℃）、温度センサ１Ｃの平均値Ｔａｃ（２４．９℃）及び温度センサ１Ｄの平均値Ｔａｃ（２５．７℃）の平均値Ｔａｖｇ（２５．４℃）を求める。
【００４９】
そして、判定処理部１２は、すべての温度センサの平均値Ｔａｃが、平均値Ｔａｖｇ±ｄの範囲内に含まれるか否かを判定する（Ｓ０５）。なお、ｄは例えば１℃程度の値を用いればよい。
【００５０】
平均値Ｔａｖｇ±ｄの範囲外（例えばＴａｖｇ±１℃の範囲外）の平均値Ｔａｃが存在する場合（Ｓ０５，Ｙｅｓ）、判定処理部１２は、平均値Ｔａｃと平均値Ｔａｖｇとの差の絶対値が最大となる温度センサを、劣化していると判定する（Ｓ０６）。例えば図６に示すように、平均値Ｔａｖｇが２５．４℃である場合、２４．４℃〜２６．４℃の範囲内に、温度センサ１Ａの平均値Ｔａｃ（２４．３℃）と温度センサ１Ｂの平均値Ｔａｃ（２６．７℃）とが含まれない。図５及び図６に示す例では、温度センサ１Ａの平均値Ｔａｃ（２４．３℃）と平均値Ｔａｖｇ（２５．４℃）との差の絶対値は１．１℃であり、温度センサ１Ｂの平均値Ｔａｃ（２６．７℃）と平均値Ｔａｖｇ（２５．４℃）との差の絶対値は１．３℃である。従って、判定処理部１２は、平均値Ｔａｃと平均値Ｔａｖｇとの差の絶対値が最大となる温度センサ１Ｂを、劣化している温度センサであると判定し、温度センサ１Ａを、劣化している温度センサであるとは判定しない。平均値Ｔａｃが平均値Ｔａｖｇ±ｄの範囲外となるすべての温度センサを劣化と判定しないのは、劣化している温度センサ１Ｂの検出値が平均値Ｔａｖｇの算出の際に含まれることにより、平均値Ｔａｖｇが高くなっていることを考慮するためである。
【００５１】
その後、判定処理部１２は、劣化していると判定された温度センサをグループから除外し（Ｓ０７）、ステップＳ０４〜Ｓ０７の処理を繰り返し実行する。
【００５２】
そして、同一グループに属するすべての温度センサの平均値Ｔａｃが、平均値Ｔａｖｇ±ｄの範囲内に含まれる場合（Ｓ０５，Ｎｏ）、判定処理は終了する。すなわち、平均値Ｔａｖｇ±ｄの範囲外（例えばＴａｖｇ±１℃の範囲外）の平均値Ｔａｃが存在しない場合（Ｓ０５，Ｎｏ）、判定処理は終了する。一方、平均値Ｔａｖｇ±ｄの範囲外（例えばＴａｖｇ±１℃の範囲外）の平均値Ｔａｃが存在する場合（Ｓ０５，Ｙｅｓ）、上述したように、判定処理部１２は、平均値Ｔａｃと平均値Ｔａｖｇとの差の絶対値が最大となる温度センサを、劣化していると判定する（Ｓ０６）。以降、同一グループに属するすべての温度センサの平均値Ｔａｃが、平均値Ｔａｖｇ±ｄの範囲内に含まれるか（Ｓ０５、Ｎｏ）、同一グループに属する残りの温度センサが２台未満になる（Ｓ０８，Ｎｏ）まで、ステップＳ０４〜Ｓ０７の処理を繰り返し実行する。
【００５３】
そして、判定処理部１２は、ステップＳ０４〜Ｓ０８の処理で最後に求めた平均値Ｔａｖｇの値をログ情報記憶部２０に保存する（Ｓ０９）。
【００５４】
ステップＳ０９にて保存された平均値Ｔａｖｇは、居室４０の真の室内温度であると推定される。判定処理部１２は、劣化していると判定された温度センサの平均値Ｔａｃと、ステップＳ０９にて保存された平均値Ｔａｖｇとの差分ΔＴを求め、差分ΔＴの値を補正値としてログ情報記憶部２０に保存する（Ｓ１０）。図５及び図６に示す例では、温度センサ１Ｂが劣化していると判定されているため、判定処理部１２は、温度センサ１Ｂの平均値Ｔａｃ（２６．７℃）と平均値Ｔａｖｇ（２５．４℃）との差分ΔＴ（１．３℃）を補正値としてログ情報記憶部２０に保存する。
【００５５】
そして、劣化していると判定された温度センサ（以下、「劣化温度センサ」と称する）に対応する室内機を介して空調を行う場合、空調制御部６は、差分ΔＴを用いて、劣化温度センサによって検出された室内温度を補正し、補正された温度（補正温度）に基づいて、劣化温度センサに対応する室内機を介した空調を制御する。例えば、劣化温度センサの平均値Ｔａｃが平均値Ｔａｖｇよりも大きい場合、空調制御部６は、劣化温度センサによって検出された室内温度から補正値である差分ΔＴを減算し、減算によって得られた温度（補正温度）に基づいて、劣化温度センサに対応する室内機を介した空調を制御する。また、劣化温度センサの平均値Ｔａｃが平均値Ｔａｖｇよりも小さい場合、空調制御部６は、劣化温度センサによって検出された室内温度に補正値である差分ΔＴを加算し、加算によって得られた温度（補正温度）を用いて、劣化温度センサに対応する室内機を介した空調を制御する。図５及び図６に示す例では、空調制御部６は、温度センサ１Ｂによって検出された室内温度から、補正値である差分ΔＴ（１．３℃）を減算し、減算によって得られた温度（補正温度）に基づいて、温度センサ１Ｂに対応する室内機３Ｂを介した空調を制御する。
【００５６】
以上のように、本実施形態に係る空調制御装置によると、複数の温度センサによって検出される室内温度が所定範囲内に含まれると予測される時間に空調機２に送風運転させ、その後に検出された室内温度のばらつきに基づいて温度センサの劣化を判定することで、別の機器を空調機２に追加したり空調機２を改造したりせずに、温度センサの劣化を精度良く判定することが可能となる。また、劣化している温度センサを特定し、その温度センサによって検出される温度を補正して空調を制御することができるため、人による校正の手間が省ける。
【００５７】
なお、温度センサの劣化判定を行うときに、居室４０内に人が残っていた又は設備が稼働していた等の理由により、居室４０の室内温度が一様にならないこともあると考えられる。この場合、温度センサが劣化していないにもかかわらず、劣化していると判定されるおそれがある。従って、本実施形態に係る劣化判定処理を複数日で所定回数実行し、すべての判定処理で劣化していると判定された温度センサを、劣化した温度センサとして判定してもよい。これにより、劣化した温度センサをより確実に特定することが可能となる。
【００５８】
また、温度が高い環境と温度が低い環境とでは、温度センサの検出値のずれ方が異なる場合がある。例えば、夏期と冬期とでは、温度センサの検出値のずれ方が異なると考えられる。そこで、判定処理部１２は、劣化判定処理を行ったときの室内温度の平均値Ｔａｖｇが基準温度以上となるときに求められた差分ΔＴを第１の補正値としてログ情報記憶部２０に保存する。また、判定処理部１２は、劣化判定処理を行ったときの室内温度の平均値Ｔａｖｇが基準温度未満となるときに求められた差分ΔＴを第２の補正値としてログ情報記憶部２０に保存する。そして、空調制御部６は、劣化温度センサによって検出された室内温度が基準温度以上となる場合、第１の補正値を用いて室内温度を補正し、補正された温度（第１の補正温度）に基づいて、劣化温度センサに対応する室内機を介した空調を制御する。また、空調制御部６は、劣化温度センサによって検出された室内温度が基準温度未満となる場合、第２の補正値を用いて室内温度を補正し、補正された温度（第２の補正温度）に基づいて、劣化温度センサに対応する室内機を介した空調を制御する。
【００５９】
一例として、判定処理部１２は、平均値Ｔａｖｇが２５℃以上のときに求められた差分ΔＴを夏期用補正値ΔＴ１（第１の補正値）としてログ情報記憶部２０に保存する。また、判定処理部１２は、平均値Ｔａｖｇが２５℃未満のときに求められた差分ΔＴを冬期用補正値ΔＴ２（第２の補正値）としてログ情報記憶部２０に保存する。そして、空調制御部６は、劣化温度センサによって検出された室内温度が２５℃以上となる場合、夏期用補正値ΔＴ１を用いて室内温度を補正し、補正された温度（第１の補正温度）に基づいて、劣化温度センサに対応する室内機を介した空調を制御する。また、空調制御部６は、劣化温度センサによって検出された室内温度が２５℃未満となる場合、冬期用補正値ΔＴ２を用いて室内温度を補正し、補正された温度（第２の補正温度）に基づいて、劣化温度センサに対応する室内機を介した空調を制御する。以上のように、温度が相対的に高い環境と温度が相対的に低い環境とで、異なる補正値を用いて室内温度を補正することで、居室４０内の環境により適した補正温度に基づいて空調を制御することが可能となる。
【００６０】
また、図１に示す入退室管理部３０を利用することで、劣化判定処理を実行する時間を決定してもよい。入退室管理部３０は、居室４０に対する利用者の入退室を管理し、利用者の入退室履歴情報を管理する。入退室管理部３０は、読取部３１，３２と、扉４１に設置されている図示しない電気錠とに接続されている。読取部３１，３２は、利用者が所持する記憶媒体に記憶された記憶媒体情報を読み取る。読取部３１は、扉４１の付近であって居室４０の外側に設置されている。読取部３２は、扉４１の付近であって居室４０の内側に設置されている。利用者が所持する記憶媒体は、例えばカードや携帯端末である。記憶媒体に記憶された記憶媒体情報は、記憶媒体を所持するユーザ本人であることを証明する情報（例えばＩＤ）である。読取部３１，３２は、記憶媒体に対し接触又は非接触で記憶媒体情報を読み取り、その記憶媒体情報を入退室管理部３０に出力する。なお、ユーザ本人であることを証明する情報であれば、読取部３１，３２は、指紋又は静脈等の生体情報を読み取り、その生体情報を入退室管理部３０に出力してもよい。入退室管理部３０は、読取部３１，３２が読み取った記憶媒体情報と、入退室管理部３０に記憶されている個人情報とを照合して、利用者の入退室を管理する。具体的には、利用者の入室時に、入退室管理部３０は、居室４０の外側の読取部３１から記憶媒体情報を受信し、その記憶媒体情報と入退室管理部３０に記憶されている個人情報とを照合し、両者が一致する場合、扉４１の電気錠を解錠し、両者が一致しない場合、利用者の入室を許可せず、扉４１の電気錠は施錠状態のままである。利用者の退室時、入退室管理部３０は、居室４０の内側の読取部３２から記憶媒体情報を受信し、その記憶媒体情報と入退室管理部３０に記憶されている個人情報とを照合し、両者が一致する場合、扉４１の電気錠を解錠する。入退室管理部３０は、上記のように利用者の入退室を管理することで、居室４０に在室する人の数を示す在室人数情報を空調管理部１０に出力する。これにより、空調管理部１０は、居室４０に在室する人の数を検知することができる。
【００６１】
また、入退室管理部３０は、居室４０の警備状態を検知し、警備状態を示す情報を空調管理部１０に出力してもよい。例えば、居室４０の扉４１が施錠された場合に警備信号を入退室管理部３０に出力する機器や、扉４１が施錠されてボタンが押下された場合に警備信号を入退室管理部３０に出力する機器を居室４０に設置しておく。入退室管理部３０は、警備信号に基づいて居室４０の警備状態（居室４０がロックされた状態）を検知し、その警備状態を示す情報を空調管理部１０に出力する。
【００６２】
空調管理部１０は、劣化判定処理を実行する前に、入退室管理部３０から在室人数情報又は警備状態を示す情報を取得することで、居室４０に在室する人の数又は警備状態を検知する。そして、居室４０に在室する人の数が０人になっている場合又は居室４０が警備状態（居室４０がロックされた状態）になっている場合、居室４０内が無人であると判断して劣化判定処理を実行する。このように、劣化判定処理を実行する前に、居室４０内が実際に無人となっているか否かを確認し、居室４０内が無人となっている場合に劣化判定処理を実行することで、温度センサの劣化判定の精度を向上させることが可能となる。なお、空調管理部１０は、居室４０内の照明がオフになっている場合に居室４０内が無人であると判断してもよいし、居室４０における消費電力量が所定値以下になった場合に居室４０内が無人であると判断してもよい。
【００６３】
また、同一の居室であっても広い居室であれば、例えば外壁の付近（ペリメーターゾーン）とそれ以外の場所とで温度の不均一が生じる場合がある。そこで、同一の居室内に設置されている複数の温度センサを、設置位置によって別々のグループに分け、グループごとに温度センサの劣化を判定してもよい。例えば、同一の居室４０内に設置されている複数の温度センサのうち、居室４０の外壁から所定距離（例えば５ｍ）以内に設置されている複数の温度センサを第１グループとし、外壁から所定距離より離れた位置に設置されている複数の温度センサを第２グループとする。そして、空調管理部１０は、第１グループ及び第２グループのそれぞれについて温度センサの劣化を判定する。このように、同様の環境に含まれる複数の温度センサを同じグループに割り当てることで、温度センサの劣化をより正確に判定することが可能となる。
【００６４】
また、同一の居室であっても高さによって温度が異なる場合がある。そこで、空調管理部１０は、居室内における設置場所の高さに応じて複数の温度センサを別々のグループに分け、グループごとに温度センサの劣化を判定してもよい。
【００６５】
また、上述した実施形態では複数の温度センサを対象にして劣化を判定する場合について説明したが、居室内に１台の室内機と１つの室内温度センサとが設置され、居室外に１台の室外機と１つの室外温度センサとが設置されている場合に、室内温度センサの劣化を判定してもよい。室外温度センサは、室外機に設置されていてもよいし、室外機とは別の場所に設置されていてもよい。空調管理部１０は、室内温度センサが検出した室内温度と室外温度センサが検出した室外温度との差（内外温度差）を利用することで、室内温度センサの劣化を判定する。例えば、空調管理部１０は、空調機の運転初期段階で取得された内外温度差（初期の内外温度差）を示すデータをログ情報記憶部２０に保存しておき、劣化判定処理の実行中に取得された内外温度差と初期の内外温度差とを比較し、内外温度差の差が所定値以上ある場合、室内温度センサが劣化していると判定する。この劣化判定処理においても、中間期の明け方に内外温度差を求め、その内外温度差に基づいて室内温度センサの劣化を判定することが好ましい。１つの室内温度センサを対象にして劣化を判定する場合、上述した実施形態に係る劣化判定方法ほど正確に室内温度センサの劣化を判定することは困難であるが、室内温度センサが故障した場合等のように大きく温度がずれている場合に、室内温度センサの故障を検出することができる。
【００６６】
なお、判定処理部１２は、室内温度が所定範囲内に含まれると予測される時間において、空調機２が送風運転を行う前に劣化判定処理を行い、さらに、送風運転を開始してから所定時間が経過した後に劣化判定処理を行い、送風運転の前及び送風運転の後の両方のタイミングで劣化と判定された温度センサを、劣化した温度センサとして特定してもよい。上述したように、送風運転を行う前であっても明け方においては室内温度が比較的に一様となっているため、送風運転を行う前に劣化判定処理を行い、さらに、送風運転を行うことで室内温度をさらに一様にし、その状態で劣化判定処理を行い、送風運転の前後で劣化していると判定された温度センサを、劣化した温度センサとして判定してもよい。送風運転の前と送風運転の後とでは劣化判定のための環境（条件）が異なることになり、異なる環境（条件）で劣化と判定された温度センサは実際に劣化している可能性が高いと考えられる。従って、このような異なる環境で劣化判定（２段階の判定処理）を行うことで、劣化した温度センサをより高い精度で特定することができる。
【００６７】
また、空調管理部１０は、室内温度と室外温度との差が所定値以下となる時間に劣化判定処理を行ってもよい。例えば、図１に示す複数の温度センサ１Ａ〜１Ｄのそれぞれによって検出された温度の平均値Ｔａｖｇと、室外に設置されている温度センサ５によって検出された温度との差が、所定値以下となる時間（例えば最も小さくなる時間）に劣化判定処理を行ってもよい。この時間は、居室４０内の空気が外気の影響を受け難く一様になっていると想定されるため、この時間に劣化判定処理を行ってもよい。
【００６８】
上述した空調制御装置は図示しないＣＰＵ等のプロセッサを備えている。プロセッサは、図示しないメモリに記憶されたプログラムを実行することにより、空調制御部６、判定制御部１１及び判定処理部１２のそれぞれの機能を実現する。上記プログラムは、ＣＤやＤＶＤ等の記録媒体を介して又はネットワーク等の通信経路を介してハードディスクドライブ（ＨＤＤ）等の記憶装置に記憶される。なお、上記プログラムはハードディスクドライブ等の記憶装置に予め記憶されていてもよい。ハードディスクドライブ等の記憶装置に記憶されたプログラムがＲＡＭ等のメモリに読み出されてＣＰＵ等のプロセッサによって実行されることにより、空調制御部６、判定制御部１１及び判定処理部１２のそれぞれの機能が実現される。また、入退室管理部３０は、図示しないＣＰＵ等のプロセッサと、図示しないメモリに記憶されたプログラムとによって実現される。例えばハードディスクドライブ等の記憶装置に記憶されたプログラムがＲＡＭ等のメモリに読み出されてＣＰＵ等のプロセッサによって実行されることにより、入退室管理部３０の機能が実現される。
【符号の説明】
【００６９】
１Ａ，１Ｂ，１Ｃ，１Ｄ，５  温度センサ、２  空調機、３，３Ａ，３Ｂ，３Ｃ，３Ｄ  室内機、４  室外機、６  空調制御部、１０  空調管理部、１１  判定制御部、１２  判定処理部、２０  ログ情報記憶部、３０  入退室管理部、３１，３２  読取部、４０，４０Ａ，４０Ｂ，４０Ｃ，４０Ｄ  居室、４１  扉。
【図１】
0005907802.tif 000002
【図２】
0005907802.tif 000003
【図３】
0005907802.tif 000004
【図４】
0005907802.tif 000005
【図５】
0005907802.tif 000006
【図６】
0005907802.tif 000007